(57)【特許請求の範囲】
【請求項１】
下向きに開口する多数の製氷室を区画形成した冷却器と、各製氷室を閉塞する傾復動可能な水皿と、該水皿に固定された水タンクと、循環ポンプとを備え、前記水皿が前記製氷室を閉塞している状態で、当該水皿表面から前記循環ポンプにより前記水タンク内の水を前記各製氷室に噴水して製氷行程を行い、前記水皿が前記製氷室を開放している状態で、前記水タンクから排水し、前記冷却器を加熱して離氷行程を行うと共に、所定量の氷が貯えられた場合には貯氷行程に移行する製氷機において、
前記循環ポンプの運転及び前記水皿の傾復動を制御する制御手段を備え、この制御手段は、前記貯氷行程においては前記水皿により前記製氷室を開放すると共に、一定の時間間隔で前記水皿により前記製氷室を閉塞し、前記水タンクに少量の給水を行った後、所定の短期間前記循環ポンプを運転し、ポンプモーターを発熱させることを特徴とする製氷機。
【発明の詳細な説明】
【０００１】
【発明の属する技術分野】
本発明は、所謂逆セル型製氷機やプレート型製氷機などの製氷機に関するものである。
【０００２】
【従来の技術】
従来この種製氷機、特に逆セル型製氷機と称されるものは、例えば実開平４−５２６２２号公報（Ｆ２５Ｃ１／０４）に示される如く、下向きに開口する多数の製氷小室を区画形成した製氷室の下側に傾復動可能な水皿を設け、水皿が製氷小室を閉塞している状態において、圧縮機から吐出された高温高圧冷媒を凝縮器にて凝縮し、減圧装置にて減圧した後、製氷室の外側上面に設けた蒸発器に流入させ、蒸発させて製氷小室を冷却し、且つ、水タンク内に貯溜した製氷用水を循環ポンプにより水皿表面から各製氷小室に噴水して製氷行程を行うと共に、水皿が製氷小室を開放した状態において、蒸発器に圧縮機からの高温高圧冷媒を直接流し、加熱して離氷行程を行うよう構成されている。
【０００３】
そして、離氷行程において製氷室から落下した氷は、下方の貯氷庫内に貯えられるが、上述の如き製氷行程と離氷行程を繰り返して、貯氷庫内に氷が所定量貯えられると、製氷機は貯氷行程に移行する。
【０００４】
【発明が解決しようとする課題】
この貯氷行程においては、前記圧縮機や循環ポンプは停止するものであるが、この循環ポンプのポンプモーターのシャフトは０℃付近に冷やされた水タンク内の残水中に浸漬されているため、店舗の閉店時などに氷が消費されず、この貯氷行程が長時間になると、水タンク内の低温の水によりポンプモーターが冷やされ、内部に結露が生じる。係る結露が発生すると、シャフト軸受部などに錆び付きが発生し、固着してポンプモーターが回転できなくなり、製氷不能に陥る不都合が生じる。
【０００５】
係る不都合を解決するために、従来は貯水行程において循環ポンプのポンプモーターに弱電圧を印加し、若干の発熱を生じさせて結露が生じることを防ぐ方法が採られていたが、弱電圧をかけるための専用の電気回路が必要となり、コストの面で不利になる問題があった。また、この方法では貯水行程において循環ポンプが作動しないため、錆び付きによる固着を完全に防ぐことができない。更に、水皿を開いて水タンク内の製氷水を廃棄した状態で停止し、貯氷行程に移行することにより、循環ポンプのポンプモーターの軸受部への結露を防止するような案もあるが、循環ポンプ内部に残った水によって貯氷行程中に結露を起こし、軸受部の腐食が進行して固着に至ることもあった。
【０００６】
本発明は、係る従来技術の課題を解決するために成されたものであり、貯氷行程中における循環ポンプ内部の結露により生じる不都合を未然に回避することができる製氷機を提供することを目的とする。
【０００７】
【課題を解決するための手段】
本発明の製氷機は、下向きに開口する多数の製氷室を区画形成した冷却器と、各製氷室を閉塞する傾復動可能な水皿と、この水皿に固定された水タンクと、循環ポンプとを備え、水皿が製氷室を閉塞している状態で、当該水皿表面から循環ポンプにより水タンク内の水を各製氷室に噴水して製氷行程を行い、水皿が製氷室を開放している状態で、水タンクから排水し、冷却器を加熱して離氷行程を行うと共に、所定量の氷が貯えられた場合には貯氷行程に移行するものであって、循環ポンプの運転及び水皿の傾復動を制御する制御手段を備え、この制御手段は、貯氷行程においては水皿により製氷室を開放すると共に、一定の時間間隔で水皿により製氷室を閉塞し、水タンクに少量の給水を行った後、所定の短期間循環ポンプを運転し、ポンプモーターを発熱させるものである。
【０００８】
本発明によれば、水タンク内に貯留された水を循環ポンプにより冷却器に循環して製氷を行う製氷行程を実行すると共に、所定量の氷が貯えられた場合には貯氷行程に移行する製氷機において、循環ポンプの運転を制御する制御手段を備え、この制御手段は、貯氷行程においては一定の時間間隔で所定の短期間循環ポンプを運転し、ポンプモーターを発熱させるようにしたので、貯氷行程中に循環ポンプを発熱させることができるようになる。
【０００９】
これにより、水タンク内の低温の水により循環ポンプが冷やされ、内部に生じた結露によって錆び付きが発生し、製氷不能に陥る不都合を未然に回避することができるようになる。更に、一定の時間間隔で運転するので、耐久性にも支障を来すことは無く、所定の短期間だけ運転するので、循環ポンプの過熱も回避されるものである。
【００１０】
特に、本発明では所謂逆セル型の製氷機において、貯氷行程中は水皿により製氷室を閉塞した状態で循環ポンプの運転を行うので、水タンクや循環ポンプ内に残留した水が貯えられた氷に向けて噴射される不都合を防止することができるようになる。また、貯氷行程中は水皿により製氷室を開放して水タンクから排水しているので、残留する低温の水で循環ポンプ停止中に当該循環ポンプ内部に生ずる結露は最小限に抑制できるようになると共に、循環ポンプを運転する際には水タンクに給水を行うので、空運転による騒音の発生も防止できる。更に、この場合の給水も少量であるので、節水にも寄与できるものである。
【００１１】
【発明の実施の形態】
次に、図面に基づき本発明の実施形態を詳述する。図１は本発明の製氷機Ｉの制御装置２０の電気回路図、図２は水皿５が水平閉塞位置にある状態の製氷機Ｉの製氷部部分の側面図、図３は水皿５が傾斜開放位置にある状態の製氷機Ｉの製氷部部分の側面図、図４は製氷機Ｉの冷却装置Ｒの冷媒回路図である。
【００１２】
図２及び図３において、実施例の製氷機Ｉは所謂逆セル型製氷機と称されるものであり、内部に下向きに開口した多数の製氷室１Ａを有し、その上壁外面に冷却装置Ｒの蒸発パイプ２を備えた冷却器１と、図２の如き所定の水平閉塞位置において各製氷室１Ａを下方から充分余裕をもって閉塞し、表面には各製氷室１Ａに対応する図示しない噴水孔及び戻り孔を形成した水皿５と、該水皿５に固定され、前記戻り孔に連通する水タンク６と、水タンク６内の水を送水管７、更に図示しない分配管を経て前記噴水孔から噴出し、各製氷室１Ａへ循環せしめる循環ポンプ９と、水皿５を傾動及び復動せしめる正逆回転可能な高ギヤ比の減速モータ１０を含む駆動装置１１と、図４の給水電磁弁１２が開いたとき水皿５の表面に散水する散水器１３と、水タンク６の内に設けられたフロートによって作動し、水タンク６の所定の満水位を検出する水位スイッチＷＬＳＷ等にて構成されている。
【００１３】
そして、支持梁１５に固定された取付板１６に支持させた前記減速モータ１０の出力軸には、相互に逆方向に延出した第１及び第２のアーム１７Ａ及び１７Ｂを有する駆動カム１７を連結し、該駆動カム１７の第１のアーム１７Ａの端部に取り付けたコイルバネ１８の他端を水皿５の側部に連結すると共に、水皿５の後部は回動軸１９に支持させている。
【００１４】
また、ＡＳＷはその接点の開閉により水皿５の前記水平閉塞位置と傾斜開放位置を検出するための接触式の水皿位置検出スイッチである。この水皿位置検出スイッチＡＳＷは前記駆動カム１７の第１及び第２のアーム１７Ａ及び１７Ｂが当接する位置関係にあり、減速モータ１０の正転により駆動カム１７が図中反時計回りに回転すると、水皿５が前記傾斜開放位置となったところで図３の如く前記第２のアーム１７Ｂが水皿位置検出スイッチＡＳＷに当接し、それによって水皿位置検出スイッチＡＳＷの接点は閉じて復動側に切換反転される。
【００１５】
また、減速モータ１０の逆転により駆動カム１７が図中時計回りに回転すると、水皿５が前記水平閉塞位置となったところで図２の如く前記第１のアーム１７Ａが水皿位置検出スイッチＡＳＷに当接し、それによって水皿位置検出スイッチＡＳＷの接点は開いて傾動側に切換反転される。
【００１６】
以上は製氷機Ｉの製氷部側に設けられた構成部品であるが、製氷機Ｉの機械室側には図４に示す如き冷却装置Ｒの圧縮機２１、補助凝縮器４１及び凝縮器４２等が設けられる。次に、図４の冷媒回路図を用いて冷却装置Ｒ内の冷媒循環について説明すると、圧縮機２１から吐出された高温高圧のガス冷媒は、補助凝縮器４１に流入して放熱した後、一旦圧縮機２１に戻り、再び吐出されて三方管４３に至る。三方管４３の一方の出口から出た冷媒は凝縮器４２にて空冷されて凝縮し、受液器４４及び乾燥器４５を経て減圧装置としての膨張弁４６に至る。
【００１７】
この膨張弁４６にて絞られた冷媒は、前記蒸発パイプ２に流入して蒸発し、冷却器１から吸熱することによりそれを冷却する。そして、この蒸発パイプ２を出た冷媒はアキュムレータ４７を経て圧縮機２１に帰還する。また、三方弁４３の他方の出口から膨張弁４６の出口側にはホットガス電磁弁２３が介設されたホットガス管４８が接続されており、ホットガス電磁弁２３が開いた状態で圧縮機２１から吐出された高温高圧のガス冷媒（ホットガス）が蒸発パイプ２に直接供給される構成とされている。
【００１８】
次に、図１の制御装置２０において、電源ＡＣには操作スイッチ３５を介して以下の各回路が接続されている。即ち、冷却装置Ｒを構成する圧縮機２１はリレーＲ１と直列に接続され、前記冷却装置Ｒの凝縮器４２を冷却する凝縮器冷却手段としての凝縮器冷却用ファン２２はリレーＲ２と直列に接続されている。
【００１９】
前記循環ポンプ９のポンプモータ９ＭはリレーＲ３と直列に接続され、前記ホットガス電磁弁２３はリレーＲ７と直列に接続されると共に、前記給水電磁弁１２はリレーＲ４と直列に接続される。また、前記減速モータ１０はリレーＲ５及び切換リレーＲ６と直列に接続される。この切換リレーＲ６は接点ａ側に閉じて減速モータ１０を正転させ、接点ｂ側に切り換わって減速モータ１０を逆転させるものである。
【００２０】
これらリレーＲ１乃至Ｒ７は制御手段としての汎用のマイクロコンピュータ２５によって制御される。マイクロコンピュータ２５の入力には前記水位スイッチＷＬＳＷ及び水皿位置検出スイッチＡＳＷが接続されると共に、図示しない貯氷庫内の所定の満氷量を検出したときに接点を閉じる貯氷スイッチＢＳＷが接続される。また、マイクロコンピュータ２５の入力には、前記冷却器１の温度を検出するＥＴセンサー２６、前記凝縮器４２の出口温度（凝縮器４２の温度）を検出する凝縮器温度検出手段としてのＣＴセンサー３１、前記水タンク６内の水温を検出するＷＴセンサー５１及び外気温度を検出するＡＴセンサー５２が接続され、更に、前記給水電磁弁１２により強制的に給水を行う強制給水スイッチ５３、強制的に離氷を行わせる強制離氷スイッチ５５及び、後述する表示器２９の表示を切り換えたり、時刻の早送りを行うための送りスイッチ５４がそれぞれ接続されている。そして、これら強制給水スイッチ５３、強制離氷スイッチ５５及び送りスイッチ５４は、この順で基板上に並設されている。
【００２１】
マイクロコンピュータ２５の出力にはモニター２７及び表示器２９が接続されており、この表示器２９は７セグメントの２桁ＬＥＤから構成されている。また、マイクロコンピュータ２５には例えばＥＥＰＲＯＭから成るメモリ３０が接続されており、メモリ３０は製氷機Ｉへの通電が断たれた場合にも記憶内容を失わずに保持し続け、後述するクリヤ操作によって記憶内容を消去する。
【００２２】
次に、図５、図６及び図７のマイクロコンピュータ２５のプログラムを示すフローチャートに基づいて製氷機Ｉの動作を説明する。製氷機Ｉを据え付けた後、若しくは長期不使用のため、或いは瞬時停電により電源ＡＣが断たれた後、操作スイッチ３５を再度閉じて製氷機Ｉに電源を投入（ＯＮ）したものとする。このとき水皿５の位置は確定しておらず、前記水平閉塞位置（図２）か、若しくは傾斜開放位置（図３）か、或いはその途中の傾斜状態であり、該傾斜状態も傾動途中と復動途中とが考えられる。
【００２３】
しかしならが、係る状態は水皿位置検出スイッチＡＳＷの接点の開閉状態によって二種類に判別できる。即ち、水皿位置検出スイッチＡＳＷの接点が開いていて傾動側にあるときは、水皿５は水平閉塞位置か傾動途中であり、水皿位置検出スイッチＡＳＷの接点が閉じていて復動側にあるときは、水皿５は傾斜開放位置か復動途中である。
【００２４】
そこで、マイクロコンピュータ２５は操作スイッチ３５が閉じられて電源ＡＣが投入（ＯＮ）されると、ステップＳ１で水皿位置検出スイッチＡＳＷの状態を判別し、接点が開いていて傾動側にある場合（水皿５は水平閉塞位置か傾動途中）には、ステップＳ２に進んでリレーＲ５を閉じ、切換リレーＲ６を接点ａ側に閉じて減速モータ１０を正転させ、水皿５を傾動させる。そして、ステップＳ４にて水皿位置検出スイッチＡＳＷの状態を再び判別し、依然傾動側にあるときはステップＳ２に戻って傾動を続ける。水皿５が所定の傾斜開放位置となり、水皿位置検出スイッチＡＳＷの接点が閉じて復動側に反転すると、マイクロコンピュータ２５はステップＳ４からステップＳ５に進んで今度は切換リレーＲ６を接点ｂ側に閉じ、減速モータ１０を逆転させて水皿５の復動を開始する。
【００２５】
マイクロコンピュータ２５は次にステップＳ６で水皿５が閉完了（水平閉塞位置）する１５秒前か否か判断し、否である場合にはステップＳ９に進んで再び水皿位置検出スイッチＡＳＷの状態を判断し、依然復動側にあるときはステップＳ５に戻って復動を継続する。そして、１５秒前になるとステップＳ６からステップＳ７に進み、リレーＲ４を閉じて給水電磁弁１２を開く（ＯＮ）。給水電磁弁１２が開くと散水器１３から水皿５の表面に散水され、主に戻り孔を通って水タンク６に給水される。次に、ステップＳ８で水位スイッチＷＬＳＷにより水タンク６の水位が所定の満水位に達しているか否か判断し、否であればステップＳ９に進む。
【００２６】
その後、水皿５が前記水平閉塞位置（図２）となり、水皿位置検出スイッチＡＳＷの接点が開いて傾動側に反転されると、マイクロコンピュータ２５はステップＳ９からステップＳ６に戻るようになるので水皿５の復動は停止する。
【００２７】
一方、電源ＡＣが投入（ＯＮ）されたときに水皿位置検出スイッチＡＳＷの接点が閉じていて復動側にある場合（水皿５は傾斜開放位置か復動途中）には、マイクロコンピュータ２５はステップＳ１からステップＳ３に進んでリレーＲ５を閉じ、切換リレーＲ６を接点ｂ側に閉じて減速モータ１０を逆転させ、水皿５を復動させる。その後はステップＳ６に進み、以後前述の如くステップＳ９で水皿位置検出スイッチＡＳＷが傾動側に反転するまで復動を続け、水皿５が水平閉塞位置となったところで同様に停止させる。
【００２８】
このように、マイクロコンピュータ２５は電源の投入（ＯＮ）時、水皿位置検出スイッチＡＳＷの接点の開閉状態に応じて水皿５の状態を判別し、水皿５が水平閉塞位置か傾動途中と判断される場合には水皿５を一旦傾動させ、次に復動させて所定の水平閉塞位置とすると共に、水皿５が傾斜開放位置か復動途中と判断される場合には、水皿５を復動させて前記水平閉塞位置とする。いずれにしても本発明の製氷機Ｉによれば電源投入後、水皿５を必ず水平閉塞位置に初期設定する。
【００２９】
その後、水位スイッチＷＬＳＷが水タンク６内の満水位を検出すると、ステップＳ８から図６のステップＳ１０に進んでリレーＲ４を開き、給水電磁弁１２を停止（ＯＦＦ）する。次に、マイクロコンピュータ２５はステップＳ１２に進んでリレーＲ３及びリレーＲ７を閉じ、循環ポンプ９のポンプモータ９Ｍを運転（ＯＮ）すると共にホットガス電磁弁２３を開く（ＯＮ）。
【００３０】
この循環ポンプ９のポンプモータ９Ｍが運転されると、水タンク６内の水は前記噴水孔から製氷室１Ａに噴水され、戻り孔から水タンク６に戻る経路で循環される。これによって係る循環水路内に堆積、又は付着した塵埃や水アカが洗浄され、噴水孔に詰まった塵埃も除去される。
【００３１】
次に、マイクロコンピュータ２５はステップＳ１３でその機能として有するタイマーのカウントが３０秒となっているか否か判断し、否であればステップＳ１２に戻って上記洗浄を継続する。係る洗浄が３０秒実行された後、マイクロコンピュータ２５はステップＳ１３からステップＳ１４に進んでリレーＲ１を閉じ、圧縮機２１を起動すると共に、以下の離氷行程に移行する。
【００３２】
この離氷行程ではマイクロコンピュータ２５はリレーＲ２及びリレーＲ３を開き、凝縮器冷却用のファン２２及び循環ポンプ９のポンプモータ９Ｍを停止させ、リレーＲ５及びリレーＲ７を閉じ、切換リレーＲ６を接点ａ側に閉じて減速モータ１０を正転させ、水皿５を傾動させて行く。また、ホットガス電磁弁２３が開いているので蒸発パイプ２に圧縮機２１から吐出された高温高圧ガス冷媒（ホットガス）が循環され、冷却器１が加熱される。
【００３３】
そして、水皿５が図３に示す如き所定の傾斜開放位置（全開）まで傾動すると、駆動カム１７の第２のアーム１７Ｂが水皿位置検出スイッチＡＳＷに当接して復動側に反転させるので、マイクロコンピュータ２５はリレーＲ５を開き、減速モータ１０を停止させて水皿５の傾動を停止させる。水皿５が傾斜開放位置となると、水タンク６内の前記循環水は水タンク６直下に位置する図示しない排水部に排水される。そして、ＥＴセンサー２６により取り込んだ冷却器１の温度が例えば＋９℃等の離氷完了温度より高くなったか否か判断し、高くなっていればリレーＲ５を閉じると共に、切換リレーＲ６を接点ｂに閉じて減速モータ１０を逆転させ、水皿５を上方に復動させて行く。
【００３４】
係る復動により水皿５が図２に示す如き所定の水平閉塞位置（全閉）まで復帰すると、駆動カム１７の第１のアーム１７Ａが水皿位置検出スイッチＡＳＷに当接して傾動側に反転させるので、マイクロコンピュータ２５はリレーＲ５及びリレーＲ７を開き、ホットガス電磁弁２３を閉じると共に、減速モータ１０を停止させて水皿５の復動を停止させる。そして、マイクロコンピュータ２５はステップＳ１５に進んでリレーＲ１を閉じ、圧縮機２１を運転しつつ以下の製氷行程に移行する。尚、マイクロコンピュータ２５は水皿５が閉完了する以前の１５秒前からリレーＲ４を閉じて給水電磁弁１２を開き、前述同様に水タンク６への給水を開始している。
【００３５】
この製氷行程では圧縮機２１から吐出された冷媒は前述の如く補助凝縮器４１及び凝縮器４２にて凝縮液化され、膨張弁４６にて絞られた後、蒸発パイプ２に供給され、そこで蒸発して冷却器１を冷却する。また、マイクロコンピュータ２５は、リレーＲ２及びリレーＲ４を閉じて給水しつつ凝縮器冷却用のファン２２を運転し、また、リレーＲ３を閉じ、循環ポンプ９のポンプモータ９Ｍを運転して水タンク６内の水を噴水孔から各製氷室１Ａに循環させる。
【００３６】
その後、マイクロコンピュータ２５は水位スイッチＷＬＳＷが閉じたか否か判断し、水タンク６内に所定量の水が給水され、水位スイッチＷＬＳＷが所定の満水位を検出して閉じたらリレーＲ４を開き、給水電磁弁１２を閉じて給水を停止する。また、マイクロコンピュータ２５はＷＴセンサー５１の出力に基づいて水タンク６内の水温を取り込み、水温が例えば＋３℃以下に３秒間達しているか否か判断する。そして、この条件が満たされるまで待ち、条件が満たされたらマイクロコンピュータ２５は製氷タイマの積算を開始する。次に、製氷タイマの積算値が所定の積算値に達していなければ上記製氷タイマの積算を継続する。係る製氷運転によって冷却器１の製氷室１Ａ内には徐々に氷が生成されて行く。
【００３７】
そして、製氷タイマが所定の積算値に達したら、マイクロコンピュータ２５は図６のステップＳ１６に進んでリレーＲ２及びリレーＲ３を開き、凝縮器冷却用のファン２２及び循環ポンプ９のポンプモータ９Ｍを停止させる。次に、リレーＲ５及びリレーＲ７を閉じ、また、切換リレーＲ６を接点ａ側に閉じて減速モータ１０を正転させ、水皿５の傾動を開始すると共に、ホットガス電磁弁２３が開いて蒸発パイプ２に前記高温高圧ガス冷媒（ホットガス）を循環し、冷却器１を加熱して製氷室１Ａに凍結した氷の離氷行程に移行する。
【００３８】
この離氷行程は前述同様に実行され、製氷室１Ａ内に生成された氷は水皿上に落下しさらに下方の貯氷庫内に落下して貯えられる。そして、この離氷行程の間マイクロコンピュータ２５は貯氷スイッチＢＳＷが閉じているか否か判断し、図示しない貯氷庫内に所定量の氷が貯えられている場合はステップＳ１７に進んでリレーＲ１及びリレーＲ７を開き、圧縮機２１と循環ポンプ９の運転を停止する。また、リレーＲ４を開いて給水電磁弁１２を閉じ、貯氷行程に移行する。
【００３９】
図７にてこの貯氷行程中のマイクロコンピュータ２５の動作を説明する。マイクロコンピュータはステップＳ１８で切換リレーＲ６を接点ａ側に閉じて前記減速モータ１０を正転させ、水皿５の傾動を開始する。次に、マイクロコンピュータ２５はステップＳ１９で水皿５が開完了（傾斜開放位置）したか否かを前記水皿位置検出スイッチＡＷＳで判断し、否であればこれを繰り返す。その後、水皿５が傾斜開放位置となったら、ステップＳ１９からステップＳ２０に進んで減速モータ１０を停止し、水皿５の開動作を停止する。
【００４０】
次に、マイクロコンピュータ２５はステップＳ２１に進んで、その機能として有する時限手段としての前記循環ポンプの停止時間タイマの積算を開始する。次に、ステップＳ２２で停止時間タイマの積算値がＴｓ（例えば１時間）に達したか否かを判断し、達していなければこれを繰り返す。そして、ポンプ停止時間タイマの積算値がＴｓに達すると、マイクロコンピュータ２５は、ステップＳ２２からステップＳ２３に進み、ポンプ停止時間タイマをクリアにする。
【００４１】
次ぎに、マイクロコンピュータ２５はステップＳ２４に進んで、切換リレーＲ６を接点ｂ側に閉じ、減速モーター１０を逆転させて水皿５の復動を開始する。次に、ステップＳ２５で、水皿５が閉完了（水平閉塞位置）したか否かを水皿位置検出スイッチＡＷＳで判断し、否である場合にはこれを繰り返して、復動を継続する。そして、水皿５が閉完了した場合にはステップＳ２５からステップＳ２６に進んで、減速モーター１０を停止する。
【００４２】
次に、マイクロコンピュータ２５は、ステップＳ２７に進んでリレーＲ３を閉じ、循環ポンプ９のポンプモータ９Ｍの運転（ＯＮ）を開始する。尚、この場合、マイクロコンピュータ２５はポンプモータ９Ｍの運転に先立ってリレーＲ４を短期間閉じ、給水電磁弁１２を短期間開いて水タンク６内に少量の給水を行う。これによって、空運転による循環ポンプ９の騒音を防止している。そして、マイクロコンピュータ２５はその機能として有する時限手段としての循環ポンプの運転時間タイマの積算を開始し、ステップＳ２８で運転時間タイマの積算値が所定時間（例えば３分）に達したか否かを判断して、達していなければ上記運転時間タイマの積算を継続する。そして、所定時間が経過し、運転時間タイマの積算が完了すると、ステップＳ２９に進んで循環ポンプ９のポンプモータ９Ｍの運転を停止する。
【００４３】
その後、マイクロコンピュータ２５はステップＳ３０に進んで、切換リレーＲ６を接点ａ側に閉じ、減速モーター１０を正転させて水皿５の傾動を開始する。次に、ステップＳ３１で、水皿５が開完了（傾斜開放位置）しているか否かを水皿位置検出スイッチＡＷＳで判断し、否である場合にはこれを繰り返して傾動を継続する。そして、水皿５が開完了した場合にはステップＳ３１からステップＳ３２に進んで、減速モーター１０を停止する。
【００４４】
そして、マイクロコンピュータ２５は再びステップＳ２１に進み循環ポンプ９の前記停止時間タイマの積算を開始し、以後ステップＳ２１〜ステップＳ３２までの動作を繰り返す。
【００４５】
係る貯氷行程は貯氷庫内の氷が使用（消費）され、減少して貯氷スイッチＢＳＷが閉じるまで継続され、貯氷スイッチＢＳＷが閉じたら、マイクロコンピュータ２５は再び前記製氷行程を戻るものである。
【００４６】
以上のように、貯氷行程において循環ポンプ９のポンプモーター９ＭがＴｓ（１時間）停止した場合、循環ポンプ９のポンプモーター９Ｍを所定時間（３分間）運転するので、貯氷行程中にポンプモーター９Ｍを動作させ、且つ、発熱させることができる。これにより、水タンク６内の低温の水によって循環ポンプ９が冷やされ、内部のポンプモーター９Ｍの軸受部などに生じた結露によって錆び付きが発生し、製氷不能に陥る不都合が未然に回避できるようになる。また、貯氷行程中に循環ポンプ９を運転する際には少量の水しか水タンク６に給水しないので、循環ポンプ９の騒音発生を防止しつつ節水に寄与できると共に、循環ポンプ９の冷却も抑制できる。
【００４７】
【発明の効果】
以上詳述した如く本発明によれば、水タンク内に貯留された水を循環ポンプにより冷却器に循環して製氷を行う製氷行程を実行すると共に、所定量の氷が貯えられた場合には貯氷行程に移行する製氷機において、循環ポンプの運転を制御する制御手段を備え、この制御手段は、貯氷行程においては一定の時間間隔で所定の短期間循環ポンプを運転し、ポンプモーターを発熱させるようにしたので、貯氷行程中に循環ポンプを発熱させることができるようになる。
【００４８】
これにより、水タンク内の低温の水により循環ポンプが冷やされ、内部に生じた結露によって錆び付きが発生し、製氷不能に陥る不都合を未然に回避することができるようになる。更に、一定の時間間隔で運転するので、耐久性にも支障を来すことは無く、所定の短期間だけ運転するので、循環ポンプの過熱も回避されるものである。
【００４９】
特に、本発明では所謂逆セル型の製氷機において、貯氷行程中は水皿により製氷室を閉塞した状態で循環ポンプの運転を行うので、水タンクや循環ポンプ内に残留した水が貯えられた氷に向けて噴射される不都合を防止することができるようになる。また、貯氷行程中は水皿により製氷室を開放して水タンクから排水しているので、残留する低温の水で循環ポンプ停止中に当該循環ポンプ内部に生ずる結露は最小限に抑制できるようになると共に、循環ポンプを運転する際には水タンクに給水を行うので、空運転による騒音の発生も防止できる。更に、この場合の給水も少量であるので、節水にも寄与できるものである。
【図面の簡単な説明】
【図１】  本発明の製氷機の制御装置の電気回路図である。
【図２】  水皿が水平閉塞位置にある状態の製氷機の製氷室部分の側面図である。
【図３】  水皿が傾斜開放位置にある状態の製氷機の製氷室部分の側面図である。
【図４】  本発明の製氷機の冷却装置の冷媒回路図である。
【図５】  マイクロコンピュータのプログラムを示すフローチャートである。
【図６】  同じくマイクロコンピュータのプログラムを示すフローチャートである。
【図７】  貯氷行程中の動作を説明するためのマイクロコンピュータのプログラムを示すフローチャートである。
【符号の説明】
Ｉ  製氷機
Ｒ  冷却装置
１  冷却器
１Ａ  製氷室
２  蒸発パイプ
５  水皿
６  水タンク
９  循環ポンプ
９Ｍ  ポンプモーター
１０  減速モータ
２０  制御装置
２１  圧縮機
２２  ファン
２５  マイクロコンピュータ
４２  凝縮器
４６  膨張弁
【図１】
0003710916.tif 000002
【図２】
0003710916.tif 000003
【図３】
0003710916.tif 000004
【図４】
0003710916.tif 000005
【図５】
0003710916.tif 000006
【図６】
0003710916.tif 000007
【図７】
0003710916.tif 000008